(57)【要約】【課題】携帯無線装置の温度が上昇した場合においても容易に使用することが可能な携帯無線装置を提供することを目的とする。【解決手段】ハンズフリー通話が可能な携帯無線装置は、携帯無線装置の温度を検出する温度検出手段と、温度検出手段により検出された検出温度が第１温度よりも高い温度であるかを判定する判定手段と、所定のトリガ信号を受信可能な信号受信手段と、を備え、判定手段により検出温度が第１温度よりも高い温度であると判定された状態において、信号受信手段が所定のトリガ信号を受信した場合、ハンズフリー通話が可能になるように構成される。【選択図】図２
2008244727.tif 000002
【特許請求の範囲】
【請求項１】
ハンズフリー通話が可能な携帯無線装置であって、
該携帯無線装置の温度を検出する温度検出手段と、
前記温度検出手段により検出された検出温度が第１温度よりも高い温度であるかを判定する判定手段と、
所定のトリガ信号を受信可能な信号受信手段と、を備え、
前記判定手段により前記検出温度が前記第１温度よりも高い温度であると判定された状態において、前記信号受信手段が前記所定のトリガ信号を受信した場合、
ハンズフリー通話が可能になるように構成されることを特徴とする携帯無線装置。
【請求項２】
ハンズフリー通話が可能な状態となるハンズフリーモードを含む複数の通話モードを有する携帯無線装置であって、
該携帯無線装置の温度を検出する温度検出手段と、
前記温度検出手段により検出された検出温度が第１温度よりも高い温度であるかを判定する判定手段と、
所定のトリガ信号を受信可能な信号受信手段と、
前記通話モードを設定する通話モード設定手段と、を備え、
前記通話モード設定手段は、前記判定手段により前記検出温度が前記第１温度よりも高い温度であると判定された場合において通話モードを前記ハンズフリーモードに設定し、
前記ハンズフリーモード中に前記信号受信手段が前記所定のトリガ信号を受信した場合、ハンズフリー通話が可能になるように構成されることを特徴とする携帯無線装置。
【請求項３】
前記判定手段は、前記検出温度が前記第１温度よりも高い温度である第２温度よりも高い温度であるかを判定し、
前記判定手段により前記検出温度が前記第２の温度よりも高い温度であると判定された場合に、
該携帯無線装置における所定の機能が制限されることを特徴とする請求項１または２に記載の携帯無線装置。
【請求項４】
前記判定手段により前記検出温度が前記第２の温度よりも高いと判定された後、更に、前記第２の温度よりも低い温度であると判定された場合に、
該携帯無線装置における前記所定の機能制限が解除されることを特徴とする請求項３に記載の携帯無線装置。
【請求項５】
前記判定手段は、前記検出温度が前記第１温度と第２温度との間の温度である第３温度であるかを判定し、
前記判定手段により前記検出温度が前記第３温度であると判定された場合に、
該携帯無線装置における所定の機能における状態または設定を保存することを特徴とする請求項１から４のいずれかに記載の携帯無線装置。
【請求項６】
複数のキーを備え、
前記複数のキーのうち、所定のキーを押下した場合、前記トリガ信号が出力されることを特徴とする請求項１から５のいずれかに記載の携帯無線装置。
【請求項７】
該携帯無線装置は、太陽エネルギーを電力に変換可能な太陽電池パネルを搭載することを特徴とする請求項１から６のいずれかに記載の携帯無線装置。
【請求項８】
前記太陽電池パネルには、前記温度検出手段が配置されることを特徴とする請求項７に記載の携帯無線装置。
【発明の詳細な説明】
【技術分野】
【０００１】
本発明は、携帯電話機や簡易型携帯電話機等の移動通信機、或いはＰＤＡ（Ｐｅｒｓｏｎａｌ  Ｄｉｇｉｔａｌ  Ａｓｓｉｓｔａｎｔｓ）といった携帯無線装置に関する。特には、太陽電池パネルを搭載した携帯無線装置に関する。
【背景技術】
【０００２】
近年より、携帯電話機、簡易型携帯電話機（ＰＨＳ）、及びＰＤＡ（Ｐｅｒｓｏｎａｌ  Ｄｉｇｉｔａｌ  Ａｓｓｉｓｔａｎｔｓ）といった携帯無線装置に、太陽電池パネルを搭載させ、太陽光を受光することにより得られるエネルギーを電力に変換し、使用する携帯無線装置が提案されている。
【０００３】
このような太陽電池パネルを搭載した携帯無線装置は、外出時等の充電器が無い状態においても太陽光を太陽電池パネルに受光させることにより容易に充電が可能となり、バッテリー切れによるトラブルを防止することができる。
【０００４】
ところで、太陽電池パネルを搭載した携帯無線装置は、太陽光を直接太陽電池パネルで受光させることにより充電するため、携帯無線装置の温度が著しく上昇してしまう場合がある。例えば、乗用車内や、野外で充電のため直射太陽光を当てたまま放置した場合等である。この状態で携帯無線装置を長時間放置してしまうと、携帯無線装置の温度が著しく上昇する。特に夏場などに窓を閉切った車内で放置してしまうと、携帯無線装置は触ることができない程の温度に上昇する場合がある。
【０００５】
このように、携帯無線装置の温度が著しく上昇すると、熱による機器への障害が発生し、携帯無線装置に不具合を生じさせるおそれがあった。これに対しては、携帯無線機の温度に基づいて携帯無線機の動作を制御する技術が開示されている（例えば、特許文献１参照）。
【特許文献１】特表２００３−５１１９０号公報
【発明の開示】
【発明が解決しようとする課題】
【０００６】
しかしながら、特許文献１に開示の技術は、温度に基づいて携帯無線機の動作を制御するものであり、携帯無線機自体を使用可能な状態にするものではなかった。例えば携帯電話は、基本的にはユーザが手に持って通話するものであるため、携帯電話の温度が過剰に上昇すると手に持つことができず、通話ができない場合があった。また、熱くなった携帯電話を例えばタオル等の布で包むことで手に持って使用することもできるが、通話状態において携帯電話は、顔に近づけて使用するものであるため、このような行為は好ましいものではなかった。
【０００７】
本発明は、携帯無線装置の温度が上昇した場合においても容易に使用することが可能な携帯無線装置を提供することを目的とする。
【課題を解決するための手段】
【０００８】
本発明の携帯無線装置は、ハンズフリー通話が可能な携帯無線装置であって、該携帯無線装置の温度を検出する温度検出手段と、前記温度検出手段により検出された検出温度が第１温度よりも高い温度であるかを判定する判定手段と、所定のトリガ信号を受信可能な信号受信手段と、を備え、前記判定手段により前記検出温度が前記第１温度よりも高い温度であると判定された状態において、前記信号受信手段が前記所定のトリガ信号を受信した場合、ハンズフリー通話が可能になるように構成されることを特徴とする。
【０００９】
ここで、ハンズフリーモードとは、携帯無線装置を顔に近づけたり、イヤホンマイクを使わないでも、相手の音声を増幅させると共にマイク感度を向上させることにより、携帯無線装置を手に持つことなく通話することが可能な通話モードをいう。
【００１０】
また、本発明の携帯無線装置は、ハンズフリー通話が可能な状態となるハンズフリーモードを含む複数の通話モードを有する携帯無線装置であって、該携帯無線装置の温度を検出する温度検出手段と、前記温度検出手段により検出された検出温度が第１温度よりも高い温度であるかを判定する判定手段と、所定のトリガ信号を受信可能な信号受信手段と、
前記通話モードを設定する通話モード設定手段と、を備え、前記通話モード設定手段は、前記判定手段により前記検出温度が前記第１温度よりも高い温度であると判定された場合において通話モードを前記ハンズフリーモードに設定し、前記ハンズフリーモード中に前記信号受信手段が前記所定のトリガ信号を受信した場合、ハンズフリー通話が可能になるように構成されることを特徴とする。
【００１１】
また、前記判定手段は、前記検出温度が前記第１温度よりも高い温度である第２温度よりも高い温度であるかを判定し、前記判定手段により前記検出温度が前記第２の温度よりも高い温度であると判定された場合に、該携帯無線装置における所定の機能が制限されることが好ましい。
【００１２】
また、前記判定手段により前記検出温度が前記第２の温度よりも高いと判定された後、更に、前記第２の温度よりも低い温度であると判定された場合に、該携帯無線装置における前記所定の機能制限が解除されることが好ましい。
【００１３】
また、前記判定手段は、前記検出温度が前記第１温度と第２温度との間の温度である第３温度であるかを判定し、前記判定手段により前記検出温度が前記第３温度であると判定された場合に、該携帯無線装置における所定の機能における状態または設定を保存することが好ましい。
【００１４】
また、複数のキーを備え、前記複数のキーのうち、所定のキーを押下した場合、前記トリガ信号が出力されることが好ましい。
【００１５】
また、該携帯無線装置は、太陽エネルギーを電力に変換可能な太陽電池パネルを搭載することが好ましい。
【００１６】
また、前記太陽電池パネルには、前記温度検出手段が配置されることが好ましい。
【発明の効果】
【００１７】
本発明によれば、携帯無線装置の温度が上昇した場合においても容易に使用することが可能な携帯無線装置を提供することができる。
【発明を実施するための最良の形態】
【００１８】
以下、図面を参照して本発明を実施するための最良の形態を説明する。なお、以下、携帯無線装置として携帯電話機１について説明するが、本発明はこれに限定されるものではない。例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００１９】
また、本実施形態においては、連結部４による折り畳み式の携帯電話機１を用いて説明をするが、本発明においてはこれに限らない。例えば、携帯電話機１は、折り畳み式ではなく、操作部側筐体２と表示部側筐体３とを重ね合わせた状態から一方の筐体を一方向にスライドさせるようにしたスライド式や、重ね合せ方向に沿う軸線を中心に一方の筐体を回転させるようにした回転式や、操作部側筐体２と表示部側筐体３とを２軸ヒンジを介して連結したもの、更には、操作部側筐体２と表示部側筐体３とが一つの筐体に配置されたもの（いわゆる、ストレートタイプ）であってもよい。
【００２０】
図１及び図２より、携帯無線装置としての携帯電話機１における基本構造を説明する。図１は、本発明に係るホスト装置と通信を行う携帯無線装置の一例である携帯電話機１の外観斜視図を示す。また、図２は、携帯電話機１を表示部側筐体３のリアパネル３ｄ側からみた外観斜視図を示している。
【００２１】
本発明に係る携帯電話機１は、ユーザが手に持って通話するハンドセットモードと、ユーザが手に持たずに通話可能なハンズフリーモードと、携帯電話機１が高温（例えば、後述の第２温度）になった場合に、電話機としての機能を停止するスリープモードと、を備える。また、本発明に係る携帯電話機１は、電源として機能するバッテリ８０に加え、太陽光から得られる太陽エネルギーを電力に変換可能な太陽電池パネル９０を備える。
【００２２】
図１及び図２に示すように、本実施形態に係る携帯電話機１は、操作部側筐体２と、表示部側筐体３と、を備える。操作部側筐体２と表示部側筐体３とは、ヒンジ機構を備える連結部４を介して連結されている。具体的には、操作部側筐体２の上端部と表示部側筐体３の下端部とは、連結部４を介して連結されている。これにより、携帯電話機１は、ヒンジ機構を介して連結された操作部側筐体２と表示部側筐体３とを相対的に動かすことが可能になる。つまり、携帯電話機１は、操作部側筐体２と表示部側筐体３とが開いた状態（開状態）にしたり、操作部側筐体２と表示部側筐体３とが折り畳まれた状態（閉状態）にしたりすることができる。
【００２３】
ここで、閉状態とは、両筐体が互いに重なるように配置された状態であり、開状態とは、両筐体が互いに重ならないように配置された状態をいう。
【００２４】
操作部側筐体２は、外面がフロントケース２ａとリアケース２ｂとにより構成される。この操作部側筐体２は、フロントケース２ａ側に、操作キー群１１と、携帯電話機１の使用者が通話時に発した音声が入力されるマイクとしての音声入力部１２とがそれぞれ露出するように構成される。
【００２５】
ここで、操作キー群１１は、各種設定や電話帳機能やメール機能等の各種機能を作動させるための機能設定操作キー１３、電話番号の数字やメール等の文字等を入力するための入力操作キー１４、各種操作における決定や上下左右方向のスクロール等を行う操作部材としての決定操作キー１５により構成されている。操作キー群１１を構成する各キーそれぞれには、操作部側筐体２と表示部側筐体３との開閉状態や各種モード、或いは起動されているアプリケーション等の種類に応じて所定の機能が割り当てられている（キー・アサイン）。そして、使用者が各キーを押圧することにより、各キーに割り当てられている機能に応じた動作が実行される。
【００２６】
音声入力部１２は、操作部側筐体２の長手方向における連結部４側とは反対の外端部側に配置される。つまり、音声入力部１２は、携帯電話機１が開状態において一方の外端部側に配置される。
【００２７】
操作部側筐体２の一方側の側面には、外部機器（例えば、ホスト装置）と通信を行うためのインターフェース（図示せず）が配置されており、インターフェースは、キャップ１６により覆われている。操作部側筐体２の他方側の側面には、所定の機能が割り当てられているサイドキー３０と、外部メモリの挿入及び取り出しが行われるインターフェース（図示せず）とが配置されており、インターフェースは、キャップ３１により覆われている。
【００２８】
表示部側筐体３は、外面がフロントケース３ｂとリアケース３ｃとにより構成される。表示部側筐体３におけるフロントケース３ｂには、各種情報を表示するための表示部２１と、通話の相手側の音声を出力するレシーバとしての音声出力部２２と、が露出するように構成される。ここで、表示部２１は、液晶パネルと、この液晶パネルを駆動する駆動回路と、この液晶パネルの背面側から光を照射するバックライト等の光源部とから構成される。
【００２９】
また、表示部側筐体３は、リアケース３ｃの外面に、太陽エネルギーを電力に変換させる太陽電池パネル９０と、ハンズフリーモードへの移行時において、スピーカ２３から出力される通話相手の音声や所定の警告音等を発生させるスピーカ部２４と、が露出するように配置される。太陽電池パネル９０には、太陽電池パネル９０の温度を測定する温度センサ９１が設けられており、温度センサ９１により測定された温度に基づいて、後述の制御部１００により各種モードへ移行する設定がなされる。また、表示部側筐体３の一方の側面には、スライドキー３２が配置される。
【００３０】
次いで、図３及び図４により、操作部側筐体２及び表示部側筐体３の内部構造について説明する。図３は、操作部側筐体２に内蔵される部材の分解斜視図である。図４は、表示部側筐体３に内蔵される部材の分解斜視図である。
【００３１】
図３に示すように、操作部側筐体２は、フロントケース２ａと、操作キー群１１を構成するキーシート４０と、フレキシブル配線基板５０と、ケース体６０と、基準電位パターン層及び携帯電話機用のＲＦ（Ｒａｄｉｏ  Ｆｒｅｑｕｅｎｃｙ）モジュール等の各種電子部品を備える回路基板７０と、音声入力部１２と、バッテリリッド２ｃを備えたリアケース２ｂと、バッテリ８０とを備える。
【００３２】
フロントケース２ａとリアケース２ｂとは、互いの凹状の内側面が向き合うように配置され、互いの外周縁が重なり合うようにして結合される。また、フロントケース２ａとリアケース２ｂとの間には、キーシート４０と、フレキシブル配線基板５０と、ケース体６０と、回路基板７０とが挟まれるようにして内蔵される。つまり、回路基板７０を覆うようにしてケース体６０が積層配置され、また、ケース体６０の上面側にフレキシブル配線基板５０が積層配置され、また、フレキシブル配線基板５０の上面にキーシート４０が積層配置される。
【００３３】
フロントケース２ａには、携帯電話機１を折り畳んだ状態で表示部側筐体３の表示部２１と対向する内側面に、キー孔１３ａ、１４ａ、１５ａが形成される。キー孔１３ａ、１４ａ、１５ａそれぞれからは、キーシート４０上に形成される機能設定操作キー１３、入力操作キー１４及び決定操作キー１５の押圧面が露出する。この露出した機能設定操作キー１３、入力操作キー１４及び決定操作キー１５の押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００３４】
キーシート４０は、シリコンゴム製のシート４１の表面に機能設定操作キー１３、入力操作キー１４及び決定操作キー１５が接着剤により貼り付けられて構成される。機能設定操作キー１３、入力操作キー１４及び決定操作キー１５は、フレキシブル配線基板５０におけるキースイッチ５１、５２、５３と対向する位置に配置されると共に、フロントケース２ａに形成されるキー孔１３ａ、１４ａ、１５ａから露出するように配置される。
【００３５】
フレキシブル配線基板５０は、フロントケース２ａ側の面に複数のキースイッチ５１、５２、５３を有し、ケース体６０における平板部６１に載置される。フレキシブル配線基板５０のキースイッチ５１、５２、５３は、椀状に湾曲して立体的に形成された金属板のメタルドームを有する構造になっている。メタルドームは、その椀状形状の頂点が押圧されると、フレキシブル配線基板５０の表面に印刷された電気回路（図示せず）に形成されるスイッチ端子に接触して電気的に導通する。なお、フレキシブル配線基板５０は、複数の絶縁フィルムの間に配線を挟み込んだものである。
【００３６】
ケース体６０は、シールドケースとして機能し、回路基板７０上に載置された状態で取り付けられる。具体的には、回路基板７０上に、ケース体６０の外縁等に形成される隔壁としてのリブ６２の底面が当接した状態で取り付けられる。
【００３７】
回路基板７０には、不図示の各種電子部品が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路、音声処理回路、画像処理回路、制御回路等を含む各種回路ブロックが形成される。なお、回路基板７０とケース体６０とは、複数の連結部Ａにおいて着脱可能に部分的に固定される。
【００３８】
リアケース２ｂには、取り外し可能なバッテリリッド２ｃが設けられており、バッテリ８０をリアケース２ｂの外側から収納した後、リアケース２ｂに装着される。また、リアケース２ｂには、ユーザの音声を入力する音声入力部１２が収容される。
【００３９】
図４に示すように、表示部側筐体３は、フロントパネル３ａと、音声出力部２２と、フロントケース３ｂと、スピーカ２３と、表示部２１と、表示部２１が接続されたプリント基板８５と、リアケース３ｃと、リアパネル３ｄと、太陽電池パネル９０と、温度センサ９１と、を備える。また、リアパネル３ｄには、太陽電池パネル９０をはめ込むための開口部９２と、スピーカ２３から出力された音声を外部に発生させるスピーカ部２４が設けられている。
【００４０】
表示部側筐体３は、フロントパネル３ａと、フロントケース３ｂと、表示部２１と、プリント基板８５と、リアケース３ｃと、太陽電池パネル９０と、リアパネル３ｄのそれぞれが積層的に配置される。具体的には、フロントケース３ｂとリアケース３ｃとは、互いの凹状の内側面が向き合うように配置され、互いの外周縁が重なり合うようにして結合される。
【００４１】
そして、フロントケース３ｂとリアケース３ｃとの間には、表示部２１が接続されたプリント基板８５が挟まれるようにして内蔵される。プリント基板８５には、不図示のアンプと接続されるスピーカ２３が接続される。スピーカ２３は、携帯電話機１がハンズフリーモードに移行した場合に増幅した音声や警告音等を出力する。
【００４２】
また、リアケース３ｃとリアパネル３ｄとの間には、リアパネル３ｄの開口部９２から露出するようにして太陽電池パネル９０が収納配置される。太陽電池パネル９０は、太陽エネルギーから変換した電力をバッテリ８０に充電する。
【００４３】
温度検出手段として機能する温度センサ９１は、太陽電池パネル９０を構成するセルに当接して配置され、太陽電池パネル９０の表面温度を検出する。
【００４４】
次に、図５により、本実施形態に係る携帯電話機１の構成について説明する。図５は、携帯電話機１の構成を説明するブロック図である。図５に示すように、携帯電話機１は、ＲＦ（Ｒａｄｉｏ  Ｆｒｅｑｕｅｎｃｙ）回路部１０１、音声処理部１０２、メモリ部１０３、電源回路部１０４、画像処理部１０５、操作部１０６、及び制御部１００を有する。
【００４５】
ＲＦ回路部１０１は、不図示の基地局を介した無線通信動作、例えば、電話番号の発呼動作や電子メールの送受信動作等を行う。ＲＦ回路部１０１は、送受信アンテナ１０９を含んで構成され、電波を利用した無線通信で行うために後述の制御部１００で処理された音声情報、画像情報、電子メール等を変調して送受信アンテナ１０９により基地局（図示せず）に送信する。なお、本実施形態においては、送受信アンテナ１０９は、操作部側筐体２に内蔵され、図１において操作部側筐体２の外部に露出されていない構成となっている。
【００４６】
音声処理部１０２は、音声入力部１２と、音声出力部２２と、スピーカ２３と、を含んで構成される。音声入力部１２は、集音したユーザの音声を音声処理部１０２に供給する。音声入力部１２により集音された音声は、音声処理部１０２において、アナログ音声信号からデジタル音声信号に変換される。そして、変換されたデジタル音声信号は、制御部１００において、フィルタ処理や符号化処理等の所定の処理がなされる。また、音声処理部１０２は、制御部１００により供給された着信音データ等のデジタル音声情報に対して所定の処理を行うことによりアナログ音声信号に変換し、音声出力部２２から出力させる。スピーカ２３は、音声処理部１０２によりハンズフリーモード用に増幅処理されたアナログ音声信号を音声として出力する。
【００４７】
メモリ部１０３は、ＥＥＰＲＯＭ等の不揮発性メモリを含んで構成され、通話やメールの送受信のための制御プログラム、インターネットブラウザ、メッセージデータ、名前および電話番号等が登録されたアドレス帳等を記憶する。
【００４８】
電源回路部１０４は、バッテリ８０と、太陽電池パネル９０と、を含んで構成される。太陽電池パネル９０は、バッテリ８０に接続されており、太陽エネルギーから変換した電力をバッテリ８０に充電する。また、太陽電池パネル９０には、太陽電池パネル９０を構成するセルに温度センサ９１が配置されており、温度センサ９１は、太陽電池パネル９０の表面温度のデータを制御部１００に送信する。
【００４９】
画像処理部１０５は、表示部２１と接続される。表示部２１は、液晶表示装置（ＬＣＤ）等の表示ディバイスを有し、例えば、電子メールのテキストやメモリ部１０３に格納された様々なテキストを表示する。画像処理部１０５は、ユーザが操作部１０６を操作することにより得られた各種データを表示可能に処理し、表示部２１に表示させる。なお、本実施形態においては、携帯電話機１は、カメラ機能を有していないが、カメラ機能を有する場合においては、画像処理部１０５は、レンズを介してＣＣＤ等の撮像手段により撮像された撮影された画像を表示部２１に表示可能に処理する。
【００５０】
操作部１０６は、各種操作キー群１１を含んで構成される。操作キー群１１を構成する各キーそれぞれには、操作部側筐体２と表示部側筐体３との開閉状態や各種モード、或いは起動されているアプリケーション等の種類に応じて所定の機能が割り当てられており、ユーザが各キーを押下することにより、各キーに割り当てられている機能に応じた動作が実行される。
【００５１】
また、各種操作キー群１１の中には、ハンズフリーモードにおけるハンズフリー通話が可能となるトリガ信号を検出するトリガ出力部１０７が割り当てられている。本実施形態においては、ユーザが電話番号の数字やメール等の文字等を入力するための入力操作キー１４のうち、通話キー１４ｂを押下することによりトリガ信号が出力される。このトリガ信号が制御部１００に送信されると、制御部１００は、ハンズフリー通話が可能になるように設定する。すなわち、携帯電話機１は、ユーザによるハンズフリー通話が可能になる。
【００５２】
なお、本実施形態においては、入力操作キー１４の通話キー１４ｂにトリガ信号検出機能を割り当てたが、本発明においてはこれに限らない。例えば、操作キー群１１のいずれか、又はサイドキー３０等にトリガ信号検出機能を割り当ててもよい。
【００５３】
制御部１００は、マイクロコンピュータを主体として構成され、携帯電話機１の全体の制御を行う。例えば、制御部１００は、ＲＦ回路部１０１における各種情報の無線による送受信の制御、音声情報の出力変換等の制御、表示部２１へ情報表示に関する制御、操作部１０６の入力情報に応じた処理、温度センサ９１による各種モードへの移行等の制御、ハンズフリー通話への接続等の設定及び制御を行う。
【００５４】
次に、上述した構成の携帯電話機１の制御のうち、温度センサ９１による各種モードへの移行、及びハンズフリー通話への接続に係る制御について説明する。
【００５５】
図６は、携帯電話機１の動作について説明するフローチャートを示す。図７は、携帯電話機１の動作を説明するフローチャートを示す。
【００５６】
図６に示すフローチャートは、温度検出手段である温度センサ９１の検出結果に応じて、携帯電話機１の通話モードが設定される動作が示されている。
【００５７】
ここで、本実施形態における通話モード設定手段を有する制御部１００は、各種モードに移行する閾値としての設定温度として、次の温度を設定する。まず、ハンズフリーモードに移行する第１温度として、５０℃を設定する。次に、スリープモードに移行する第２温度として、７０℃を設定する。更に、機器に障害が生じた場合においても現状の状態に復旧可能にするためのバックアップをとる第３温度として、６０℃を設定する。
【００５８】
まず制御部１００は、温度センサ９１により検出される太陽電池パネル９０の表面温度が６０℃以上であるか否かを判定する（ステップＳＴ１０）。ここで、太陽電池パネル９０の表面温度が６０度以上の場合においては、温度上昇により、携帯電話機１が障害等による故障を引き起こす可能性が生じるため、制御部１００は、各種機能の設定や設定のバックアップをとり、メモリ部１０３に記憶させる（ステップＳＴ１５）。
【００５９】
バックアップをとった後、制御部１００は、更に、温度センサ９１により検出される太陽電池パネル９０の表面温度が７０℃以上であるか否かを判定する（ステップＳＴ２０）。表面温度が第２温度である７０℃以上であると、携帯電話機１が障害等による故障を引き起こす可能性更に高くなるためスリープモードに設定する必要が生じるためである。なお、スリープモードとは、通話機能、メール機能等の主要な機能が停止した状態をいう。つまり、着信を受けることができない状態になる。
【００６０】
温度センサ９１により検出される表面温度が７０℃以上である場合には、制御部１００は、まず、スリープモードに移行することをユーザに知らせるためにスピーカ２３から警告音２を出力させる（ステップＳＴ２５）。次いで、制御部１００は通話モードをスリープモードに設定する（ステップＳＴ３０）。なお、警告音２の出力は、スリープモード移行後に終了してもよく、警告音２の停止が割り当てられた操作キー群１１のいずれかのキーが押下されることで停止させてもよい。
【００６１】
スリープモード移行後は、制御部１００は、太陽電池パネル９０の表面温度が７０℃より低いか否かを繰り返し判定する（ステップＳＴ３５）。そして、太陽電池パネル９０の表面温度が７０℃よりも低くなった場合には、スリープモードを解除する（ステップＳＴ４０）。なお、例えば、通話中に携帯電話機１の温度が上昇し、７０℃を超えた場合には、警告音２を出力し、動作中の機能を終了し、強制的にスリープモードに移行させる。そして、上述の処理を繰り返す。
【００６２】
ステップＳＴ１０において、制御部１００により太陽電池パネル９０の表面温度が７０℃よりも低いと判定された場合、表面温度が第１温度である５０℃以上であるか否かを判定する（ステップＳＴ４５）。太陽電池パネル９０の表面温度が５０℃以上であると判定された場合においては、警告音１をスピーカ２３から出力し、ハンズフリーモードに移行することをユーザに知らせる（ステップＳＴ５０）。そして、制御部１００は、通話モードをハンズフリーモードに設定する（ステップＳＴ５５）。なお、警告音１の出力は、スリープモード移行後に終了してもよく、警告音１の停止が割り当てられた操作キー群１１のいずれかのキーが押下されることで停止させてもよい。また、警告音１は、警告音２と異なる音である。
【００６３】
また、ステップＳＴ４５において、制御部１００により太陽電池パネル９０の表面温度が５０度よりも低いと判定された場合においては、通話モードは、ハンドセットモードに設定される（ステップＳＴ６０）。なお、本実施形態における携帯電話機１の初期設定は、ハンドセットモードに設定されている。
【００６４】
続けて、図７により、携帯電話機１に着信があった場合について説明する。前述した通り、携帯電話機１は、ハンドセットモード、ハンズフリーモード、スリープモードの各種モードを備える。このうち、スリープモードは、通話機能、メール機能等の主要な機能が停止した状態であるため、着信を受けることができない状態にある。
【００６５】
ステップＳＴ６５において、制御部１００は、着信を受けるとハンドセットモードであるかハンズフリーモードであるかを判定する（ステップＳＴ７０）。ここで、着信音は、ハンドセットモード又はハンズフリーモードであるかに基づき、異なる着信パターン設定しておくことができる。すなわち、携帯電話機１がハンドセットモードに設定されている場合と、ハンズフリーモードに設定されている場合とでは異なる着信音が出力される。このように、ハンドセットモードとハンズフリーモードとを異なる着信音に設定しておくことにより、ユーザが現在の携帯電話機１の設定モードが何であるかを容易に把握することが可能になる。これにより、例えば、携帯電話機１が５０℃以上の高温になっている場合においても、着信音を聞くことにより容易に想像することが可能になり、誤って熱くなった携帯電話機１を触ってしまうことを抑制することが可能になる。
【００６６】
通話モードがハンズフリーモードに設定されている場合、ユーザは、まず、所定のキーを押下する。本実施形態においては、通話キー１４ｂを押下する（ステップＳＴ７５）。これにより、ハンズフリー通話が可能になる（ステップＳＴ８０）。例えば、音声入力部１２における音声入力の感度を向上させると共に、通話相手の音声を増幅させてスピーカ２３から出力することにより、ユーザが携帯電話機１を手に持つことなく通話することを可能にする。
【００６７】
ハンズフリー通話が終了すると、ユーザは、通話終了のボタンを押し、ハンズフリー通話を終了させる（ステップＳＴ８５）。なお、操作キー群１１のいずれかを押下してもハンズフリー通話が開始され、または終了されるように設定してもよい。また、携帯電話機１が熱くなっていることを考慮すると、ユーザによる押下以外の行為、例えば、所定の音声を発したり、携帯電話機１に振動を加えたり、軽く接触する程度で通話可能にしてもよい。
【００６８】
携帯電話機１が制御部１００によりハンドセットモードに設定されている場合は、ユーザは通話ボタンを押すことによりハンドセット通話が可能になる（ステップＳＴ９０，ステップＳＴ９５）。そして、ユーザにより、通話終了のボタンを押下されることで通話が終了する（ステップＳＴ１００）。
【００６９】
本実施形態によれば、携帯電話機１の表面温度が高温になった場合においても、ハンズフリーでの通話機能を所定キーの押下という簡単な操作で可能とすることで、高温の携帯電話機端末操作への接触を最小限にして通話することが可能となる。これにより、例えば、繁急で電話運絡を取らなければならない状況になった場合、顔等の温度に敏感な箇所の接触を防げるためユーザの不感を低減させることができる。
【００７０】
また、本実施形態によれば、所定の温度以上となった場合に携帯電話機の機能を制限することで、機器の故障を防ぐことが可能になる。
【００７１】
また、本実施形態によれば、太陽光を直接当てて充電するため特に高温になり易い太陽電池搭載型の携帯電話機に、好適に用いることができる。
【００７２】
なお、本実施形態においては、温度センサ９１を太陽電池パネル９０を構成するセルに配置したが、本発明においてはこれに限らない。例えば、操作部側筐体２又は表示部側筐体３の表面を構成するいずれかに配置してもよい。また、温度センサ９１は、携帯電話機１の複数箇所に設けてもよい。また、温度センサ９１は、ハンドセットモード時においては、携帯電話機１をユーザの顔に近づけて使用するものであることより、操作部側筐体２及び表示部側筐体３のフロントケース２ａ、３ｂ側にも配置されることが好ましい。
【００７３】
また、例えば、操作部側筐体２のフロントケース２ａ側に別途触覚センサを設け、このセンサにより触れることによりハンズフリー通話を可能とするようにしてもよい。なお、この場合触感センサは、その機能より外部から接触可能な位置に配置されることが好ましが、開閉可能な折り畳み式携帯においては、入力操作キー１４の近傍に設けてもよく、操作部側筐体２の側面に設けてもよい。
【００７４】
さらに、携帯電話機１に振動を与えることにより、ハンズフリー通話が可能になるように構成してもよく、ユーザが所定の音声を発することによりハンズフリー通話が可能になるように構成してもよい。
【図面の簡単な説明】
【００７５】
【図１】本発明に係るホスト装置と通信を行う携帯無線装置の一例である携帯電話機１の外観斜視図を示す。
【図２】本発明に係る携帯電話機の表示部側筐体３のリアパネル３ｄ側からみた外観を示す斜視図である。
【図３】本発明に係る携帯電話機の操作部側筐体に内蔵される部材の分解斜視図である。
【図４】本発明に係る携帯電話機の表示部側筐体に内蔵される部材の分解斜視図である。
【図５】本発明に係る携帯電話機の構成を説明するブロック図である。
【図６】携帯電話機１の動作について説明するフローチャートである。
【図７】携帯電話機１の動作を説明するフローチャートである。
【符号の説明】
【００７６】
１    携帯電話機
２    操作部側筐体
３    表示部側筐体
１１    操作キー群
２３    スピーカ
９０    太陽電池パネル
９１    温度センサ
１００    制御部
１０６    操作部
１０７    トリガ出力部
【図１】
2008244727.tif 000003
【図２】
2008244727.tif 000004
【図３】
2008244727.tif 000005
【図４】
2008244727.tif 000006
【図５】
2008244727.tif 000007
【図６】
2008244727.tif 000008
【図７】
2008244727.tif 000009